(57)【要約】  【課題】ユーザとのコミュニケーションを円滑に行ないながら正確な食生活の傾向を診断することが可能な食生活診断装置を提供する。  【解決手段】表示された複数の食品の画像のなかから、ユーザが飲食した食品と同等のものを食事単位ごとにそれぞれ選択し得るように構成することにより、選択された食品の画像と関連付けて記憶されているデータに基づいてそのユーザの食生活の傾向を、その食品の主食、主菜、副菜に該当する度合いを示す度合いデータによって出力するようにした。【選択図】図１１
2006024080.tif 000002
【特許請求の範囲】
【請求項１】
表示された複数の食品の画像のなかから、ユーザが飲食した食品と同等のものを食事単位ごとにそれぞれ選択し得るように構成することにより、選択された食品の画像と関連付けて記憶されているデータに基づいてそのユーザの食生活の傾向を出力するようにした装置であって、
食品の画像を表示するための食品画像表示用データと、その食品を識別可能な食品コードと、その食品の主食、主菜、副菜に該当する度合いを示す度合いデータとを少なくとも関連付けて記憶する食品データ記憶手段と、
前記食品データ記憶手段に記憶している食品画像表示用データと食品コードとに基づいて、食品の画像を、ユーザに飲食した食品と同等のものを選択させる選択候補として表示する選択候補表示手段と、
前記選択候補表示手段によって表示される食品の画像のなかから、ユーザが飲食した食品と同等のものとして選択された食品を、喫食食品として新たに表示する喫食食品表示手段と、
前記喫食食品表示手段で表示される喫食食品と関連付けて前記食品データ記憶手段に記憶されている度合いデータを、その度合いによって出力するかを判断する度合いデータ出力判断手段と、
前記度合いデータ出力判断で出力すると判断された度合いデータを、食生活傾向として各食事単位ごとに出力する食生活傾向出力手段とを具備することを特徴とする食生活診断装置。
【請求項２】
前記食品が、複数の食品群に分類される一又は複数の食材から成るものであり、
前記食品データ記憶手段が、前記食材を識別可能な食材データと、各食材に含まれる栄養素の量又は有無を示す栄養素データとを、前記食品コードとさらに関連付けて記憶するものであって、
前記喫食食品表示手段で表示される喫食食品を構成する各食材について、前記食品データ記憶手段に、栄養素の量又は栄養素が有るとする栄養素データが記憶されているかを複数の食品群について判断する栄養素データ有無判断手段と、
前記栄養素データ有無判断手段が、前記食品データ記憶手段に、栄養素の量又は栄養素が有るとする栄養素データが記憶されていると判断した際に、その栄養素データに関連付けて前記食品データ記憶手段に記憶している食材データの属する食品群を、ユーザが摂取した食品群として出力する摂取食品群出力手段とを具備することを特徴とする請求項１記載の食生活診断装置。
【請求項３】
食事に対するアドバイスを表示するための複数のアドバイスデータと、主食、主菜、副菜を取ったかを示す摂取有無データとを関連付けて記憶するアドバイスデータ記憶手段と、
前記度合いデータ出力判断で出力すると判断された度合いデータと対応するアドバイスデータを、前記摂取有無データに基づいて前記アドバイスデータ記憶手段から抽出するアドバイスデータ抽出手段と、
前記アドバイスデータ抽出手段で抽出したアドバイスデータを出力するアドバイスデータ出力手段とを具備することを特徴とする請求項１または２記載の食生活診断装置。
【請求項４】
前記食品が、複数の食品群に分類される一又は複数の食材から成るものであり、
前記食品データ記憶手段が、前記食材を識別可能な食材データと、各食材に含まれる栄養素のエネルギー量を示すエネルギー量データとを、前記食品コードとさらに関連付けて記憶するものであって、
前記喫食食品表示手段で表示される喫食食品について前記食品データ記憶手段に記憶しているエネルギー量データに基づいて、ユーザが摂取したとされる栄養のエネルギー量を算出する摂取エネルギー量算出手段と、
前記摂取エネルギー量算出手段で算出したユーザが摂取したとされる栄養のエネルギー量と、提示されたユーザが摂取すべき栄養のエネルギー量との比率を充足率として算出する充足率算出手段と、
前記充足率算出手段で算出した充足率を、前記食品群ごとに出力する充足率出力手段とを具備することを特徴とする請求項1乃至３いずれか記載の食生活診断装置。
【請求項５】
前記食品が、複数の食品群に分類される一又は複数の食材から成るものであり、
前記食品データ記憶手段が、前記食材を識別可能な食材データと、各食材に含まれる栄養素の量を示す栄養素量データとを、前記食品コードとさらに関連付けて記憶するものであって、
前記喫食食品表示手段で表示される喫食食品と関連付けて前記食品データ記憶手段に記憶されている栄養素量データに基づいて、
ユーザが摂取したとされる栄養素のうち、１日の総エネルギー量に対する蛋白質、脂質、炭水化物の各摂取エネルギー量の構成比率を算出する３大栄養素エネルギー構成比率算出手段と、
前記３大栄養素エネルギー構成比率算出手段で算出したユーザが摂取したとされる３大栄養素の各摂取エネルギー量の構成比率と、そのユーザが摂取すべき３大栄養素の各摂取エネルギー量として予め定めてある構成比率とを比較可能な状態で出力する３大栄養素エネルギー構成比率出力手段とを具備することを特徴とする請求項１乃至４いずれか記載の食生活診断装置。
【請求項６】
複数の食品について、その画像を表示用のグループごとに表示するようにしたものであって、
前記食品データ記憶手段を、食品コードと前記表示用のグループとをさらに連携して記憶するように構成し、
前記選択候補表示手段を、前記選択候補を表示する際に、前記食品データ記憶手段に記憶している表示用のグループを参照し、参照した表示用のグループごとに表示するように構成していることを特徴とする請求項１乃至５いずれか記載の食生活診断装置。
【請求項７】
前記喫食食品表示手段により表示される喫食食品に対して、その喫食食品を選定する選定操作があったかを検知する選定操作検知手段を具備し、
前記選定操作検知手段が、選定操作があったと検知した際に、前記選択候補表示手段が、選定操作を受けた喫食食品と同じ表示用のグループに属する食品の画像を、前記食品データ記憶手段に記憶している食品画像表示用データに基づいて表示するように構成していることを特徴とする請求項６記載の食生活診断装置。
【請求項８】
喫食食品表示手段が、喫食食品を、前記食品データ記憶手段に記憶している食品画像表示用データに基づいて画像表示するものであることを特徴とする請求項１乃至７いずれか記載の食生活診断装置。
【請求項９】
前記度合いデータが、器に盛った飯や液体などを数えるのに用いる杯数に対応させてあることを特徴とする請求項１乃至８いずれか記載の食生活診断装置。
【請求項１０】
前記選択候補表示手段によって表示される食品の画像のなかから、ユーザが飲食した食品と同等の食品を選択する際に用いる入力インタフェースを、タッチパネル、デジタイザまたは音声認識装置で構成していることを特徴とする請求項１乃至９いずれか記載の食生活診断装置。
【請求項１１】
コンピュータ作動させて、表示された複数の食品の画像のなかから、ユーザが飲食した食品と同等のものを食事単位ごとにそれぞれ選択し得るように構成することにより、選択された食品の画像と関連付けて記憶されているデータに基づいてそのユーザの食生活の傾向を出力するようにしたプログラムであって、
コンピュータを、
食品の画像を表示するための食品画像表示用データと、その食品を識別可能な食品コードと、その食品の主食、主菜、副菜に該当する度合いを示す度合いデータとを少なくとも関連付けて記憶する食品データ記憶手段と、
前記食品データ記憶手段に記憶している食品画像表示用データと食品コードとに基づいて、食品の画像を、ユーザに飲食した食品と同等のものを選択させる選択候補として表示する選択候補表示手段と、
前記選択候補表示手段によって表示される食品の画像のなかから、ユーザが飲食した食品と同等のものとして選択された食品を、喫食食品として新たに表示する喫食食品表示手段と、
前記喫食食品表示手段で表示される喫食食品と関連付けて前記食品データ記憶手段に記憶されている度合いデータを、その度合いによって出力するかを判断する度合いデータ出力判断手段と、
前記度合いデータ出力判断で出力すると判断された度合いデータを、各食事単位ごとに出力する食生活傾向出力手段として機能させるための食生活診断プログラム。
【請求項１２】
コンピュータを、複数の食品について、その画像を表示用のグループごとに表示するようにさらに機能させるようにしたプログラムであって、
前記食品データ記憶手段を、食品コードと前記表示用のグループとをさらに連携して記憶するように機能させ、
前記選択候補表示手段を、前記選択候補を表示する際に、前記食品データ記憶手段に記憶している表示用のグループを参照し、参照した表示用のグループごとに表示するように機能させることを特徴とする請求項１１記載の食生活診断プログラム。
【発明の詳細な説明】
【技術分野】
【０００１】
本発明は、ユーザの飲食した食品又は飲食しようとする食品に含まれる栄養素に基づいて食生活の診断を行う食生活診断装置およびそのプログラムに関するものである。
【背景技術】
【０００２】
食生活は、生命を維持し、子どもたちが健やかに成長し、また人々が健康で幸福な生活を送るために欠くことのできない営みであり、身体的な健康という点からは、栄養状態を適正に保つために必要な栄養素等を摂取することが肝要である。しかしながら、食生活を取り巻く社会環境の変化に伴い、例えば、朝食欠食率の増加の問題、加工食品や特定食品への過度の依存による問題、過度のダイエット志向による問題が発生する等、栄養状態を適正に保つために必要な栄養素等を充分に摂取されていないことが多くなってきている。
【０００３】
そこで、このような問題に対応すべく、例えば、個人の食事内容から必要栄養量を計算して、健康管理に必要なデータを得るために、食品名を複数表示し、この中から飲食した食品を選択するようにした装置が提供されている（例えば、特許文献１参照。）。
【特許文献１】特開平６−２６６６９４号公報（第２〜５頁、第７図）
【発明の開示】
【発明が解決しようとする課題】
【０００４】
ところが、従来の技術は、選択する食品が食品名として表示されるだけであり、その選択の際に、具体的に食品をイメージすることができず、正確なデータの入力を行うことが困難である等、ユーザとのコミュニケーションを円滑に行えず且つ正確な食生活の傾向を診断することができないといった課題を有している。
【０００５】
本発明は、このような課題に着目してなされたものであって、主たる目的は、ユーザとのコミュニケーションを円滑に行ないながら正確な食生活の傾向を診断することが可能な食生活診断装置を提供することにある。
【課題を解決するための手段】
【０００６】
すなわち、本発明の食生活診断装置は、表示された複数の食品の画像のなかから、ユーザが飲食した食品と同等のものを食事単位ごとにそれぞれ選択し得るように構成することにより、選択された食品の画像と関連付けて記憶されているデータに基づいてそのユーザの食生活の傾向を出力するようにした装置であって、食品の画像を表示するための食品画像表示用データと、その食品を識別可能な食品コードと、その食品の主食、主菜、副菜に該当する度合いを示す度合いデータとを少なくとも関連付けて記憶する食品データ記憶手段と、前記食品データ記憶手段に記憶している食品画像表示用データと食品コードとに基づいて、食品の画像を、ユーザに飲食した食品と同等のものを選択させる選択候補として表示する選択候補表示手段と、前記選択候補表示手段によって表示される食品の画像のなかから、ユーザが飲食した食品と同等のものとして選択された食品を、喫食食品として新たに表示する喫食食品表示手段と、前記喫食食品表示手段で表示される喫食食品と関連付けて前記食品データ記憶手段に記憶されている度合いデータを、その度合いによって出力するかを判断する度合いデータ出力判断手段と、前記度合いデータ出力判断で出力すると判断された度合いデータを、各食事単位ごとに出力する食生活傾向出力手段とを具備することを特徴とする。
【０００７】
ここで、食品とは、複数の食品群に分類される一又は複数の食材から成るものであり、且つ、製品として供給される食料品に限らず、食べたり飲んだりすることが可能な全ての飲食物を含む概念である。また、食品群には、いわゆる一般的な１８分類に分類される食品群を採用している。そして、この１８分類の食品群のうち、例えば、子どもの成長や病気からの回復などに特に不可欠なものとされる、（１）穀類、（２）いも及びでん粉類、（３）豆類、（４）野菜類、（５）緑黄色野菜類、（６）果実類、（７）海藻類、（８）魚介類、（９）肉類、（１０）卵類、（１１）乳類の１１分類の食品群を選択して、適宜表示すること等もできる。
【０００８】
このようなものであれば、選択候補表示手段が、食品の画像を、ユーザに飲食した食品と同等のものを選択させる選択候補として、具体的に表示するため、例えば、食品の画像を指しながら「これを食べましたか？」とか「この位の量を食べましたか？」といった食事についての問診を、ユーザと共通の理解を得ながら円滑且つ正確に行える上、度合いデータ出力判断や食生活傾向出力手段などによって、ユーザが主食を取ったか主菜を取ったか副菜を取ったかを、各食事単位ごとに知ることができる。すなわち、ユーザとのコミュニケーションを円滑に行ないながら正確な食生活の傾向を、食事ごとにおける主食、主菜、副菜の摂取の有無といった具体的な形で知り得るといった高機能な食生活診断装置を提供することができる。
【０００９】
なお、前記食品が、複数の食品群に分類される一又は複数の食材から成るものであり、前記食品データ記憶手段が、前記食材を識別可能な食材データと、各食材に含まれる栄養素の量又は有無を示す栄養素データとを、前記食品コードとさらに関連付けて記憶するものであって、前記喫食食品表示手段で表示される喫食食品を構成する各食材について、前記食品データ記憶手段に、栄養素の量又は栄養素が有るとする栄養素データが記憶されているかを複数の食品群について判断する栄養素データ有無判断手段と、前記栄養素データ有無判断手段が、前記食品データ記憶手段に、栄養素の量又は栄養素が有るとする栄養素データが記憶されていると判断した際に、その栄養素データに関連付けて前記食品データ記憶手段に記憶している食材データの属する食品群を、ユーザが摂取した食品群として出力する摂取食品群出力手段とを具備するようにしたものであれば、ユーザが摂取したとされる栄養について、食品群ごとに摂取したか否かを具体的に知ることができる。
【００１０】
また、食事に対するアドバイスを表示するための複数のアドバイスデータと、主食、主菜、副菜を取ったかを示す摂取有無データとを関連付けて記憶するアドバイスデータ記憶手段と、前記度合いデータ出力判断で出力すると判断された度合いデータと対応するアドバイスデータを、前記摂取有無データに基づいて前記アドバイスデータ記憶手段から抽出するアドバイスデータ抽出手段と、前記アドバイスデータ抽出手段で抽出したアドバイスデータを出力するアドバイスデータ出力手段とを具備するようにしたものであれば、ユーザの食生活の傾向を、主食、主菜、副菜と関連させた非常に具体的な食事に係るアドバイスとして示すことができ、ユーザにとって効果的である。
【００１１】
また、前記食品が、複数の食品群に分類される一又は複数の食材から成るものであり、前記食品データ記憶手段が、前記食材を識別可能な食材データと、各食材に含まれる栄養素のエネルギー量を示すエネルギー量データとを、前記食品コードとさらに関連付けて記憶するものであって、前記喫食食品表示手段で表示される喫食食品について前記食品データ記憶手段に記憶しているエネルギー量データに基づいて、ユーザが摂取したとされる栄養のエネルギー量を算出する摂取エネルギー量算出手段と、前記摂取エネルギー量算出手段で算出したユーザが摂取したとされる栄養のエネルギー量と、提示されたユーザが摂取すべき栄養のエネルギー量との比率を充足率として算出する充足率算出手段と、前記充足率算出手段で算出した充足率を、前記食品群ごとに出力する充足率出力手段とを具備するものであれば、個々の栄養素に係るエネルギー量の過不足を、摂取すべき栄養のエネルギー量と比較して、換言すれば、理想値と比較して容易に知ることができる。
【００１２】
また、前記食品が、複数の食品群に分類される一又は複数の食材から成るものであり、前記食品データ記憶手段が、前記食材を識別可能な食材データと、各食材に含まれる栄養素の量を示す栄養素量データとを、前記食品コードとさらに関連付けて記憶するものであって、前記喫食食品表示手段で表示される喫食食品と関連付けて前記食品データ記憶手段に記憶されている栄養素量データに基づいて、ユーザが摂取したとされる栄養素のうち、１日の総エネルギー量に対する蛋白質、脂質、炭水化物の各摂取エネルギー量の構成比率を算出する３大栄養素エネルギー構成比率算出手段と、前記３大栄養素エネルギー構成比率算出手段で算出したユーザが摂取したとされる３大栄養素の各摂取エネルギー量の構成比率と、そのユーザが摂取すべき３大栄養素の各摂取エネルギー量として予め定めてある構成比率とを比較可能な状態で出力する３大栄養素エネルギー構成比率出力手段とを具備するものであれば、人間にとって特に重要な３大栄養素の過不足を、摂取すべき３大栄養素と比較して、換言すれば、理想値と比較して容易に知ることができる。このとき、３大栄養素の合計摂取エネルギー量を１００とした際の３大栄養素の各エネルギー構成比率を出力するようにしているので、その過不足を、非常に容易に知ることができる。
【００１３】
ところで、複数の食品について、その画像を表示用のグループごとに表示するようにしたものであって、前記食品データ記憶手段を、食品コードと前記表示用のグループとをさらに連携して記憶するように構成し、前記選択候補表示手段を、前記選択候補を表示する際に、前記食品データ記憶手段に記憶している表示用のグループを参照し、参照した表示用のグループごとに表示するように構成しているものであれば、食品数が多い場合でも、食品の画像を表示用のグループごとに表示することができるので、当該食生活診断装置を非常に使い易いものとすることができる。
【００１４】
多数ある食品の中から然るべき食品を選択する場合など、食品の選択時における操作性を向上させるためには、前記喫食食品表示手段により表示される喫食食品に対して、その喫食食品を選定する選定操作があったかを検知する選定操作検知手段を具備し、前記選定操作検知手段が、選定操作があったと検知した際に、前記選択候補表示手段が、選定操作を受けた喫食食品と同じ表示用のグループに属する食品の画像を、前記食品データ記憶手段に記憶している食品画像表示用データに基づいて表示するように構成していることが望ましい。
【００１５】
ユーザとのコミュニケーションを、より円滑に行えるようにするためには、喫食食品表示手段が、喫食食品を、前記食品データ記憶手段に記憶している食品画像表示用データに基づいて画像表示するものであることが好ましい。
【００１６】
ところで、前記度合いデータが、器に盛った飯や液体などを数えるのに用いる杯数に対応させたものであれば、実際の食事での食品の数え方とマッチするので、実際の現場に導入しやすく、また、運用もスムーズに行うことができる。
【００１７】
また、前記選択候補表示手段によって表示される食品の画像のなかから、ユーザが飲食した食品と同等の食品を選択する際に用いる入力インタフェースを、タッチパネル、デジタイザまたは音声認識装置で構成しているものであれば、例えば、パソコンの操作に全く不慣れなユーザであっても容易に操作できるので、当該食生活診断装置を、幅広いユーザが取り扱い可能な汎用的なものとして提供することができる。ここで、タッチパネルとしては、感圧式タイプや静電式タイプのものなどを用いることができる。
【発明の効果】
【００１８】
以上説明したように本発明の食生活診断装置によれば、選択候補表示手段が、食品の画像を、ユーザに飲食した食品と同等のものを選択させる選択候補として、具体的に表示するため、例えば、食品の画像を指しながら「これを食べましたか？」とか「この位の量を食べましたか？」といった食事についての問診を、ユーザと共通の理解を得ながら円滑且つ正確に行える上、度合いデータ出力判断や食生活傾向出力手段などによって、ユーザが主食を取ったか主菜を取ったか副菜を取ったかを、各食事単位ごとに知ることができる。すなわち、ユーザとのコミュニケーションを円滑に行ないながら正確な食生活の傾向を、食事ごとにおける主食、主菜、副菜の摂取の有無といった具体的な形で知り得るといった高機能な食生活診断装置を提供することができる。
【発明を実施するための最良の形態】
【００１９】
以下、本発明の一実施形態を、図面を参照して説明する。
【００２０】
本発明の一実施形態における食生活診断装置Ｐ１は、保健センターや病院等の施設あるいはイベント会場等に設けられ、当該装置の操作者たる栄養士がユーザたる患者の食生活の傾向を知るための診断（以下、「一次診断」と称する。）、又は、その患者の食生活の改善を図るための診断（以下、「二次診断」と称する。）を行う際に用いられるものである。そしてこの食生活診断装置Ｐ１は、図１に示すように、一次診断したデータ及び二次診断したデータの蓄積やその統計処理を主として行うようにした外部のセンター装置Ｐ２と電子メールの送受信を行えるように、所定の回線網たるインターネット（図示せず）に接続され、この外部センター装置Ｐ２とともに食生活診断システムＰＳを構成している。また、センター装置Ｐ２には、前記食生活診断システムＰＳを構成し且つ在宅の栄養士などが操作する端末装置Ｐ３と、インターネットを介して双方向通信可能にさらに接続させている。
【００２１】
以下、食生活診断装置Ｐ１について具体的に説明する。
【００２２】
食生活診断装置Ｐ１は、一般的な情報処理機能を有する据え置き型の汎用のパーソナルコンピュータであって、図２に示すように、ＣＰＵ１０１、内部メモリ１０２、ＨＤＤ等の外部記憶装置１０３、タッチパネル等の入力インタフェース１０４、液晶ディスプレイなどの表示装置１０５、インターネット等の通信回線網に接続するための通信インタフェース１０６、プリンタに接続するための印刷出力インタフェース１０７等を具備している。
【００２３】
なお、食生活診断装置Ｐ１を据え置き型のパーソナルコンピュータとしているが、この食生活診断装置Ｐ１に、例えば、ノート型のパーソナルコンピュータ或いは携帯電話やＰＤＡ等、携帯可能なものを用いることができる。
【００２４】
そして、この食生活診断装置Ｐ１は、その内部メモリ１０２に記憶された食生活診断プログラム（以下、「アプリケーション」と称する。）にしたがって前記ＣＰＵ１０１や周辺機器を作動し、図３に示すように、食品データ記憶手段１１、選択候補表示手段１２、喫食食品表示手段１３、度合いデータ出力判断手段１４、食生活傾向出力手段１５、栄養素データ有無判断手段１６、摂取食品群出力手段１７、アドバイスデータ記憶手段１８、アドバイスデータ抽出手段１９、アドバイスデータ出力手段２０、摂取エネルギー量算出手段２１、充足率算出手段２２、充足率出力手段２３、３大栄養素エネルギー構成比率算出手段２４、３大栄養素エネルギー構成比率出力手段２５、選定操作検知手段２６、改善前食品データ受付手段２７、改善前食品表示手段２８、改善後食品確定命令受付手段２９、改善後度合いデータ出力判断手段３０、改善結果出力手段３１、データ送受信手段３２等としての機能を発揮する。
【００２５】
なお、センター装置Ｐ２および端末装置Ｐ３は、それぞれ、前記食生活診断装置Ｐ１と同様のハードウエア構成を有し、また、同一のアプリケーションを実行させることにより、それらセンター装置Ｐ２および端末装置Ｐ３でも、前記食生活診断装置Ｐ１と同様の処理を行えるようにしているため、これらセンター装置Ｐ２および端末装置Ｐ３についての説明は省略する。
【００２６】
以下、各手段について詳述するが、その前に、当該食生活診断装置Ｐ１の表示装置１０５に、後述するフロー（図２３）にしたがって画面表示される各種画面について、まず最初に説明をしておく。
【００２７】
起動画面は、図４に示すように、後述する一次診断画面、二次診断画面、データ取込画面、データ出力画面、およびデータ集計画面をそれぞれ表示するための５つのボタンＢ４０１〜Ｂ４０５等を備えるものである。
【００２８】
一次診断画面は、図５に示すように、一次診断のための受診情報入力画面を表示するための「スタート」ボタンＢ５０１等を備えるものである。
【００２９】
受診情報入力画面は、図６に示すように、調査日・整理ＩＤ・区分ＩＤ・日数をそれぞれ入力するための入力欄Ｃ６０１、Ｃ６０２、Ｃ６０４、Ｃ６０５と、数字入力を画面上で行えるようにした仮想テンキーＴ６と、個人情報入力画面を表示するための「次へ」ボタンＢ６０３、アプリケーションを終了するための「終了」ボタンＢ６０４等を備えるものである。
【００３０】
個人情報入力画面は、図７に示すように、男か女かを選択するための「男」ボタンＢ７０１、「女」ボタンＢ７０２と、年齢・身長・体重をそれぞれ入力するための入力欄Ｃ７０１〜Ｃ７０３と、数字入力を画面上で行えるようにした仮想テンキーＴ７と、生活強度入力画面を表示するための「次へ」ボタンＢ７０３、前画面を表示するための「戻る」ボタンＢ７０４等を備えるものである。
【００３１】
生活強度入力画面は、図８に示すように、４つの生活強度係数入力ボタンＢ８０１〜Ｂ８０４と、「次へ」ボタンＢ８０５と、「戻る」ボタンＢ８０５等を備えるものである。ここで、４つの生活強度係数入力ボタンＢ８０１〜Ｂ８０４とは、４段階に設定された生活強度係数の入力を受け付けるためのボタンである。「次へ」ボタンＢ８０５とは、妊娠・授乳入力画面または医師注意・サプリメント画面を表示するためのボタンである。「戻る」ボタンＢ８０６とは、前画面を表示するためのボタンである。
【００３２】
妊娠・授乳入力画面は、図９に示すように、妊娠しているかいないかを選択するための「している」ボタンＢ９０１、「していない」ボタンＢ９０２と、授乳しているかいないかかを選択するための「している」ボタンＢ９０３、「していない」ボタンＢ９０４と、医師注意・サプリメント画面を表示するための「次へ」ボタンＢ９０５、前画面を表示するための「戻る」ボタンＢ９０６等を備えるものである。なお、この妊娠・授乳入力画面は、個人情報入力画面で「女」ボタンＢ７０２が選択操作された場合にのみ表示されるようにしている。
【００３３】
医師注意・サプリメント画面は、図１０に示すように、医者に特に食事に注意するように言われているか否かを選択するための「はい」ボタンＢ１００１、「いいえ」ボタンＢ１００２と、サプリメント・栄養補給食品を常用しているか否かを選択するための「はい」ボタンＢ１００３、「いいえ」ボタンＢ１００４と、朝食入力画面を表示するための「次へ」ボタンＢ１００５、前画面を表示するための「戻る」ボタンＢ１００６等を備えるものである。
【００３４】
朝食入力画面は、図１１に示すように、表示用の各グループを表示するための「めし」、「パン」、「めん」、「魚」、「肉」、「卵・豆」、「野菜」、「芋・汁物」、「添え物・添加調味料」、「乳」、「果物・飲物」、及び「菓子」ボタンＢ１１０１〜Ｂ１１１２から成る表示用グループ選択ボタンＢ１１１と、前記表示用グループ選択ボタンＢ１１１で選択された表示用のグループに属する一又は複数の食品の画像を表示するための選択候補食品表示領域Ｒ１１１と、前記選択候補食品表示領域Ｒ１１１に表示している食品のうち選択中の食品の杯数を入力するための杯数入力欄Ｒ１１２と、ユーザが飲食したとして選択された喫食食品画像を表示するための喫食食品表示領域Ｒ１１３と、昼食入力画面を表示するための「次へ」ボタンＢ１１２、前画面を表示するための「戻る」ボタンＢ１１３等を備えるものである。
【００３５】
なお、本実施形態において「表示用のグループ」とは、「めし」グループ、「パン」グループ、「めん」グループ、「魚」グループ、「肉」グループ、「卵・豆」グループ、「野菜」グループ、「芋・汁物」グループ、「添え物・添加調味料」グループ、「乳」グループ、「果物・飲物」グループ、及び「菓子」グループの１２のグループとし、例えば、「めし」グループには、牛丼、うなぎ丼、カツ丼、鉄火丼など、米を主たる食材とするものが属するようにするなど、当該食生活診断装置Ｐ１で取り扱う各食品が、その食材によっていずれかの表示用のグループに属するようにしている。このとき一の食品（例えば、鉄火丼）が、複数の表示用のグループ（例えば、「めし」グループ、「魚」グループ）に属することを妨げない。また、表示用のグループの数や分け方等は実施態様に応じて適宜変更可能である。また、選択候補食品表示領域Ｒ１１１に、イニシャル表示可能な食品の画像の個数は、適宜設定可能であり、また、選択候補食品表示領域Ｒ１１１に表示すべき食品の画像が多数あるものであれば、適宜個数ごとに分けて表示するようにしても良い。
【００３６】
昼食入力画面、夕食入力画面、および間食・夜食入力画面は、前述した朝食入力画面と略同様の構成であるので、図および説明を省略する。
【００３７】
入力確認画面は、図１２に示すように、前記昼食入力画面、夕食入力画面、および間食・夜食入力画面で選択された喫食食品の画像を、食事単位ごとに表示する４つの喫食表示領域Ｒ１２１〜Ｒ１２４と、診断結果画面を表示するための「次へ」ボタンＢ１２１、前画面を表示するための「戻る」ボタンＢ１２２等を備えるものである。
【００３８】
一次診断結果画面（日毎用）は、一次診断の結果を表示するための画面であって、図１３に示すように、喫食食品表示領域Ｒ１３１と、度合いデータ表示領域Ｒ１３２と、摂取済み食品群チェック欄Ｒ１３３と、アドバイス表示領域Ｒ１３４と、充足率表示領域Ｒ１３５と、３大栄養素構成比率比較表示領域Ｒ１３６と、「次へ」ボタンＢ１３１および「戻る」ボタンＢ１３２等を備えるものである。具体的に、喫食食品表示領域Ｒ１３１は、ユーザが喫食した喫食食品の食品名を、食事（朝食・昼食・夕食・間食夜食）ごとに表示するための領域である。度合いデータ表示領域Ｒ１３２は、ユーザが喫食した喫食食品の主食・主菜・副菜に該当する度合いを示す度合いデータを、食事（朝食・昼食・夕食）ごとに表示するための領域である。摂取済み食品群チェック欄Ｒ１３３は、ユーザが摂取したとされる栄養を、複数の食品群（穀類、いも及びでん粉類、豆類、野菜類、緑黄色野菜類、果実類、海藻類、魚介類、肉類、卵類、乳類の１１分類）ごとに表示するためのものである。アドバイス表示領域Ｒ１３４は、食事に対するアドバイスを表示するための領域である。充足率表示領域Ｒ１３５は、ユーザが摂取したとされる摂取エネルギー量とそのユーザが摂取すべきエネルギー量との比率（充足率）を、総エネルギー、栄養素および食品群など（脂質、蛋白質、乳類、野菜類、緑黄色野菜類）ごとに表示するための領域である。３大栄養素構成比率比較表示領域Ｒ１３６は、ユーザが摂取したとされる３大栄養素の各摂取エネルギー量の構成比率と、そのユーザが摂取すべき３大栄養素の各摂取エネルギー量として予め定めてある構成比率とを比較した状態で表示するための領域である。「次へ」ボタンＢ１３１は、次画面を表示するためのボタンである。「戻る」ボタンＢ１３２は、前画面を表示させるためのボタンである。
【００３９】
印刷・ファイル保存画面（一次診断用）は、図１４に示すように、一次診断したデータについて、印刷する診断日のデータを選択するための「１日目」ボタンＢ１５１と、表示する診断日のデータを選択するための「１日目」ボタンＢ１５２と、次画面を表示するための「次へ」ボタンＢ１５３を備えている。
【００４０】
診断終了画面は、図１５に示すように、診断が終了した旨の表示（例えば、「お疲れ様でした。」）と、続けて次の診断をするための「次の診断を続ける」ボタンＢ１６１と、診断を終了すなわちアプリケーションを終了するための「診断を終了する」ボタンＢ１６２等を備えるものである。
【００４１】
二次診断画面は、二次診断のための受診情報入力画面を表示するための「スタート」ボタン等を備えるものであるが、一次診断画面と同様の構成であるので図示することは省略する。
【００４２】
印刷・ファイル保存画面（一次及び二次診断用）は、図１６に示すように、一次診断したデータについて、３日間の平均のデータまたは日毎のデータを印刷するための印刷ボタンＢ１７０１〜Ｂ１７０４と、それらを表示するための表示ボタンＢ１７１１〜Ｂ１７１４とを備えるとともに、二次診断したデータについても、略同様の表示ボタンＢ１７２１〜Ｂ１７２３と印刷ボタンＢ１７３１〜Ｂ１７３３とを備えるものである。また、一次診断したデータを二次診断する（改善する）ために、対象となる改善データを選択するための選択ボタンＢ１７４１〜Ｂ１７４３を備えている。さらに、次画面を表示するための「次へ」ボタンＢ１７５を備えている。
【００４３】
二次診断結果画面（日毎用）は、一次診断の結果と二次診断の結果とを表示するための画面であって、図１７に示すように、改善前食品表示領域Ｒ１８１と、度合いデータ表示領域Ｒ１８２と、摂取済み食品群チェック欄Ｒ１８３と、アドバイス表示領域Ｒ１８４と、充足率表示領域Ｒ１８５と、３大栄養素構成比率比較表示領域Ｒ１８６と、改善後食品表示領域Ｒ１８７、改善後度合いデータ表示領域Ｒ１８８、「次へ」ボタンＢ１８１および「戻る」ボタンＢ１８２等を備えるものである。
【００４４】
具体的に、改善前食品表示領域Ｒ１８１は、一次診断結果画面（日毎用）の喫食食品表示領域Ｒ１３１と相当するものであって、喫食食品を、改善前食品として表示するための領域である。また、度合いデータ表示領域Ｒ１８２、摂取済み食品群チェック欄Ｒ１８３、アドバイス表示領域Ｒ１８４、充足率表示領域Ｒ１８５、および３大栄養素構成比率比較表示領域Ｒ１８６は、一次診断したデータを表示するためのものであって、図１３の各領域Ｒ１３２〜Ｒ１３６と同様であるので説明を省略する。改善後食品表示領域Ｒ１８７は、栄養士などにより改善を受けた改善後食品の食品名を、食事（朝食・昼食・夕食・間食夜食）ごとに表示するための領域である。改善後度合いデータ表示領域Ｒ１８８は、栄養士などにより改善を受けた改善後食品の主食・主菜・副菜に該当する度合いを示す改善後度合いデータを、食事（朝食・昼食・夕食）ごとに表示するための領域である。「次へ」ボタンＢ１８１は、二次診断結果画面（比較用）を表示するためのボタンである。「戻る」ボタンＢ１８２は、前画面を表示させるためのボタンである。
【００４５】
二次診断結果画面（比較用）は、図１８に示すように、二次診断結果画面（日毎用）と同様の改善前食品表示領域Ｒ１８１と、度合いデータ表示領域Ｒ１８２と、摂取済み食品群チェック欄Ｒ１８３と、充足率表示領域Ｒ１８５と、３大栄養素構成比率比較表示領域Ｒ１８６と、改善後食品表示領域Ｒ１８７、改善後度合いデータ表示領域Ｒ１８８などに加え、摂取可能食品群チェック欄Ｒ１９１、改善後充足率表示領域Ｒ１９２、および、改善後３大栄養素構成比率比較表示領域Ｒ１９３を備えるものである。
【００４６】
具体的には、摂取可能食品群チェック欄Ｒ１９１、改善後充足率表示領域Ｒ１９２、および改善後３大栄養素構成比率比較表示領域Ｒ１９３は、それぞれ摂取済み食品群チェック欄Ｒ１８３、充足率表示領域Ｒ１８５、および３大栄養素構成比率比較表示領域Ｒ１８６と相当するものであって、いずれも栄養士などの改善を受けたものを表示すべく設けられてなる。
【００４７】
データ取込画面は、図１９に示すように、データの取込先アドレスを入力するための入力欄Ｃ２２０１と、データの取り込みを開始するための「取込開始」ボタンＢ２２０２と、アプリケーションを終了するための「終了」ボタンＢ２２０３等を備えるものである。
【００４８】
データ出力画面は、図２０に示すように、調査日・整理ＩＤ・出力先のファイル名（そのアドレスを含む）の入力をそれぞれ受け付ける入力欄Ｃ２４０２〜Ｃ２４０４と、前記入力欄で指定されたデータの出力を開始するための「出力開始」ボタンＢ２４０２と、アプリケーションを終了するための「終了」ボタンＢ２４０３等を備えるものである。
【００４９】
データ集計画面は、図２１に示すように、年齢性別受診者数構成表、生活強度別受診者数構成表、区分別受診者数構成表、食品群別エネルギー摂取比率表、および主食・主菜・副菜の評価表をそれぞれ表示するためのボタンＢ２５０１〜Ｂ２５０５と、前画面を表示するための「戻る」ボタンＢ２５０６等を備えるものである。
【００５０】
以下、図３に示した各手段について詳述する。
【００５１】
食品データ記憶手段１１は、図２２に示すように、食品コード、食品名、食材データたる食材コード、食材名、食材量、エネルギー量データ、栄養素量データ、度合いデータ、および食品画像表示用データを少なくとも関連付けて記憶するものであって、前記内部メモリ１０２又は外部記憶装置１０３のうち少なくとも一方の所定領域に形成してなる。
【００５２】
各データについて具体的に説明すると、食品コードは、その食品を識別するためのものであって、本実施形態では、食品名「にぎり盛合せ」に対して食品コード「０１０２２」を付すなど、各食品ごとにユニークな５桁の数字を付すようにしている。また、この食品コードによって、食品が、どの表示用のグループに属しているかを知ることができる。即ち、この食品コードを検索キーとして、ある表示用のグループに属している食品を検索して表示することができる。
【００５３】
食品名は、食品の名称である。この名称は、一般名称で良いのは無論のこと、略称などであっても良い。
【００５４】
食材データたる食材コードは、食材を識別するためのものであって、本実施形態では、食材名「米」に対して食材コード「００００１」を付すなど、各食材ごとにユニークな５桁の数字を付すようにしている。
【００５５】
食材名は、食材の名称を示すようにしたデータである。この名称は、一般名称で良いのは無論のこと、略称などであっても良い。
【００５６】
食材量は、食材の量を示すようにしたデータである。
【００５７】
エネルギー量データは、各食材に含まれる各栄養素のエネルギー（蛋白質エネルギー、脂質エネルギー、炭水化物エネルギー）の量をそれぞれ示すようにしたデータである。
【００５８】
栄養素量データは、各食材に含まれる各栄養素（蛋白質、脂質、炭水化物、カルシウム、鉄、食塩）の量を、それぞれ示すようにしたデータである。
【００５９】
度合いデータは、その食品の主食、主菜、副菜に該当する度合いを示すようにしたデータである。なお、本実施形態では、この度合いデータを、器に盛った飯や液体などを数えるのに用いる杯数に対応させてある。具体的には、杯数が１杯であれば１、同様に、２杯であれば２、１／２杯であれば０．５、１／３杯であれば０．３３、２／３杯であれば０．６６など、各値を、度合いデータとして記憶するようにしている。
【００６０】
また、本実施形態では、度合いデータを、数値で記憶するようにしているが、これに限らず、例えば、１杯であれば二重丸（◎）、１／２杯であれば一重丸（○）、１／３杯であれば三角（△）、２／３杯であれば四角（□）といった記号で記憶するようにしてもよい。
【００６１】
食品画像表示用データは、図示はしていないが、食品の画像を表示するためのデータであって、実際の食品を撮影した画像をＪＰＥＧやＧＩＦ形式で圧縮したものとしている。なお、画像の圧縮形式はこれらに限られるものではない。また、この食品画像表示用データは、食品コードと関連付けている。
【００６２】
選択候補表示手段１２は、一次診断において、前記食品データ記憶手段１１に記憶している食品画像表示用データと食品コードとに基づいて、食品の画像を、ユーザに飲食した食品（以下、「喫食食品」又は「改善前食品」と称する。）と同等のものを選択させる選択候補として、前記表示用のグループごとに表示するものであって、前記表示装置１０５等を利用して構成している。同様に二次診断において、食品の画像を、ユーザに飲食する食品（以下、「改善後食品」と称する。）と同等のものを選択させる選択候補として、前記表示用のグループごとに表示するものである。
【００６３】
具体的には、この選択候補表示手段１２が、選択候補としての食品の画像を、朝食入力画面などの選択候補食品表示領域内に並べて表示するように構成している（図１１参照。）。
【００６４】
なお、本実施形態では、後述する選定操作検知手段２６が、選定操作があったと検知した際に、前記選択候補表示手段１２が、選定操作を受けた喫食食品（又は改善後食品）と同じ表示用のグループに属する食品の画像を、前記食品データ記憶手段１１に記憶している食品画像表示用データに基づいて表示するように構成している。
【００６５】
また、本実施形態では、改善前食品として、食品が選択された場合には、選択された食品の画像が赤色の枠で囲まれて表示される一方、改善後食品として、食品が選択された場合には、選択された食品の画像が青色の枠で囲まれて表示されるようにしている。
【００６６】
喫食食品表示手段１３は、一次診断において、前記選択候補表示手段１２によって表示される食品の画像のなかから、ユーザが飲食した食品と同等のものとして選択された食品を、喫食食品として新たに表示するものであって、前記表示装置１０５等を利用して構成している。
【００６７】
具体的には、この喫食食品表示手段１３が、喫食食品の画像を、朝食入力画面などの喫食食品表示領域Ｒ１１３内に並べて表示するように構成している（図１１参照。）。
【００６８】
なお、本実施形態では、この喫食食品表示手段１３が、喫食食品を、前記食品データ記憶手段１１に記憶している食品画像表示用データに基づいて画像表示するとともに食品名及び杯数等も合わせて表示するように構成しているが、これに限らず、例えば、その食品名のみを表示するようにしてもよいし、その食品の画像のみを表示するようにしてもよい。
【００６９】
度合いデータ出力判断手段１４は、一次診断において、前記喫食食品表示手段１３で表示される喫食食品と関連付けて前記食品データ記憶手段１１に記憶されている度合いデータを、その度合いによって出力するかを判断するものである。具体的には、度合いデータに杯数を示す値（例えば、最低値０．３３以上）が記憶されていれば、その度合いデータの値を出力するようにしている。
【００７０】
なお、この度合いデータ出力判断手段１４を、例えば、杯数を示す値の各食事単位ごとの合計値に基づいて、出力するか否かを判断するように構成することもできるし、また、度合いデータの示す度合いが、○や△などの記号であれば、○の各食事単位ごとの合計個数に基づいて出力するか否かを判断するように構成することもできる。
【００７１】
食生活傾向出力手段１５は、一次診断において、前記度合いデータ出力判断で出力すると判断された度合いデータを、食生活傾向として、各食事単位ごとに出力するものである。本実施形態では、朝食、昼食、夕食、間食（又は夜食）の４食について出力するようにしている。
【００７２】
具体的には、この食生活傾向出力手段１５が、食生活傾向としての度合いデータを、一次診断結果画面（日毎用）などの度合いデータ表示領域Ｒ１３２内に表示するように構成している（図１３参照。）。その際、食生活傾向としての度合いデータを、赤く塗り潰した丸（●）で画面表示するようにしているが、例えば、一重丸（○）や二重丸（◎）或いはレ点等のチェックマークで画面表示したりするなど、表示態様はこれに限られない。
【００７３】
また、この食生活傾向出力手段１５が出力するデータは、所定操作により、食品データ記憶手段１１に記憶されるように構成している。
【００７４】
栄養素データ有無判断手段１６は、一次診断において、前記喫食食品表示手段１３で表示される喫食食品を構成する各食材について、前記食品データ記憶手段１１に、栄養素データが栄養素の量として記憶されているかを複数の食品群について判断するに加え、二次診断において、前記改善後食品表示手段で表示される改善後食品を構成する各食材について、前記食品データ記憶手段１１に、栄養素データが栄養素の量として記憶されているかを複数の食品群について判断するものである。具体的に、一次診断におけるこの栄養素データ有無判断手段１６の動作について、図２２を参照しながら説明すると、例えば、喫食食品が「にぎり盛合せ」であれば、この喫食食品「にぎり盛合せ」を構成する各食材「米」、「砂糖・甘味料類」、・・・、「香辛料・その他」それぞれについて、栄養素「蛋白質」が記憶されているかをみる。そして、食材「米」や「まぐろ・かじき類」等に栄養素「蛋白質」の量６．３や７．３等が記憶されているので、喫食食品「にぎり盛合せ」の栄養素「蛋白質」については、栄養素の量が記憶されていると判断する。同様に、他の栄養素「脂質」、「炭水化物」等について判断する。また、二次診断における動作も同様である。なお、この栄養素データ有無判断手段１６が、栄養素の量で判断するのに替えて、各栄養素が含まれるか否かを旨を示すデータが記憶されているかを、複数の食品群について判断するように構成しても良い。この場合には、食品データ記憶手段１１に記憶している栄養素量データに替えて、各栄養素が含まれるか否かを旨を示すデータを、栄養素データとして記憶しておけばよい。
【００７５】
摂取食品群出力手段１７は、前記栄養素データ有無判断手段１６が、前記食品データ記憶手段１１に、栄養素の量又は栄養素が有るとする栄養素データが記憶されていると判断した際に、その栄養素データに関連付けて前記食品データ記憶手段１１に記憶している食材データの属する食品群を、一次診断においてはユーザが摂取した食品群として出力し、二次診断においては、ユーザが摂取できる食品群として出力するものである。
【００７６】
具体的には、一次診断においては、この摂取食品群出力手段１７が、ユーザが摂取したとされる栄養を、複数の食品群（穀類、いも及びでん粉類、豆類、野菜類、緑黄色野菜類、果実類、海藻類、魚介類、肉類、卵類、乳類の１１分類）ごとに設けた摂取済み食品群チェック欄Ｒ１３３が赤色に塗り潰される状態で表示されるようにしている。なお、摂取食品群出力手段１７が摂取したとして出力しない食品群については、摂取済み食品群チェック欄Ｒ１３３が白抜きの状態で表示されるようにしている。二次診断についても同様であるので説明を省略する。
【００７７】
また、この摂取食品群出力手段１７が出力するデータは、所定操作により、食品データ記憶手段１１に記憶されるように構成している。
【００７８】
アドバイスデータ記憶手段１８は、食事に係るアドバイスを表示するための複数のアドバイスデータと、主食、主菜、副菜を取ったか（または取れるか）を示す摂取有無データとを関連付けて記憶するものであって、前記内部メモリ１０２又は外部記憶装置１０３のうち少なくとも一方の所定領域に形成してなる。
【００７９】
具体的には、例えば、アドバイスデータとしての「主食、主菜、副菜を毎食必ずとるようにしましょう。（朝食、昼食、夕食）」が、摂取有無データとしての「主食、主菜、副菜のうち一つでも摂取されていない。」旨を示すデータと関連付けて記憶しているものや、アドバイスデータとしての「主食、主菜、副菜を充分に取れています。（朝食、昼食、夕食）」が、摂取有無データとしての「主食、主菜、副菜が全て摂取できている。」旨を示すデータと関連付けて記憶しているものが挙げられる。
【００８０】
アドバイスデータ抽出手段１９は、前記度合いデータ出力判断で出力すると判断された度合いデータと対応するアドバイスデータを、前記摂取有無データに基づいて前記アドバイスデータ記憶手段１８から抽出するものである。
【００８１】
具体的には、例えば、前記度合いデータ出力判断で出力すると判断された度合いデータが、主食をとった旨のみを示すものを出力するのであれば、アドバイスデータ記憶手段１８から、その度合いデータと対応するアドバイスデータ「主食、主菜、副菜を毎食必ずとるようにしましょう。（朝食、昼食、夕食）」を抽出する。
【００８２】
アドバイスデータ出力手段２０は、一次診断において、前記アドバイスデータ抽出手段１９で抽出したアドバイスデータを出力するものである。なお、このアドバイスデータ出力手段２０が、二次診断においても、アドバイスデータを出力するように構成することを妨げない。
【００８３】
具体的には、例えば、一次診断結果画面（日毎用）などのアドバイス表示領域Ｒ１３４に、前記アドバイスデータ抽出手段１９で抽出したアドバイスデータに基づき、「主食、主菜、副菜を毎食必ずとるようにしましょう。（朝食、昼食、夕食）」といったアドバイスを表示する（図１３参照。）。
【００８４】
また、このアドバイスデータ出力手段２０が出力するデータは、所定操作により、食品データ記憶手段１１に記憶されるように構成している。
【００８５】
摂取エネルギー量算出手段２１は、一次診断においては、前記喫食食品表示手段１３で表示される喫食食品について、前記食品データ記憶手段１１に記憶しているエネルギー量データに基づいて、ユーザが摂取したとされる栄養のエネルギー量を算出し、二次診断においては、前記改善後食品表示手段で表示される改善後食品について、前記食品データ記憶手段１１に記憶しているエネルギー量データに基づいて、ユーザが摂取できるとされる栄養のエネルギー量を算出するものである。
【００８６】
充足率算出手段２２は、一次診断においては、前記摂取エネルギー量算出手段２１で算出したユーザが摂取したとされる栄養のエネルギー量と、提示されたユーザが摂取すべき栄養のエネルギー量との比率を充足率として算出し、二次診断においては、前記摂取エネルギー量算出手段２１で算出したユーザが摂取できるとされる栄養のエネルギー量と、提示されたユーザが摂取すべき栄養のエネルギー量との比率を充足率として算出するものである。
【００８７】
なお、本実施形態では、ユーザが摂取すべき栄養のエネルギー量を、下式（数１）
により都度算出して求めるようにしているが、これに限らず、例えば、データベースに予め記憶しているものを参照して利用するようにしてもよい。
【００８８】
（数１）
ユーザが摂取すべき栄養のエネルギー量（Ｋｃａｌ）＝標準体重（ｋｇ）×基礎代謝量係数×生活強度係数−ＢＭＩ補正量（Ｋｃａｌ）＋妊娠授乳補正量（Ｋｃａｌ）
ここで、標準体重は、下式（数２）
により都度算出して求めるものである。基礎代謝量係数は、身体の生命維持活動に必要な最低限のエネルギーを求めるための係数であって年齢に応じてその値が変化するものである。生活強度係数は、生活強度入力画面の生活強度係数入力ボタンの操作によって得られる値を用いるようにしている。ＢＭＩ補正量は、ユーザに応じてＢＭＩに係るエネルギー量を補正するためのものである。妊娠授乳補正量は、ユーザの授乳の有無に応じて、エネルギー量を補正するためのものである。なお、基礎代謝量係数、ＢＭＩ補正量、および妊娠授乳補正量は、図示しないデータベースに記憶している値を都度参照して用いるようにしている。
【００８９】
（数２）
標準体重（ｋｇ）＝身長（ｍ）×身長（ｍ）×２２
さらに、ユーザが摂取すべき栄養のエネルギー量を求める方法（求める式）は、上述したものに限られない。
【００９０】
充足率出力手段２３は、一次診断および二次診断において、前記充足率算出手段２２で算出した充足率を、前記食品群ごとに出力するものである。
【００９１】
また、この充足率出力手段２３が出力するデータは、所定操作により、食品データ記憶手段１１に記憶されるように構成している。
【００９２】
３大栄養素エネルギー構成比率算出手段２４は、一次診断においては、前記喫食食品表示手段１３で表示される喫食食品と関連付けて前記食品データ記憶手段１１に記憶されている栄養素量データに基づいて、ユーザが摂取したとされる栄養素のうち、１日の総エネルギー量に対する蛋白質、脂質、炭水化物の各摂取エネルギー量の構成比率を算出し、二次診断においては、前記改善後食品表示手段で表示される改善後食品と関連付けて前記食品データ記憶手段１１に記憶されている栄養素量データに基づいて、一次診断と同様に、蛋白質、脂質、炭水化物の各摂取エネルギー量の構成比率を算出するものである。
【００９３】
３大栄養素エネルギー構成比率出力手段２５は、一次診断においては、前記３大栄養素エネルギー構成比率算出手段２４で算出したユーザが摂取したとされる３大栄養素の各摂取エネルギー量の構成比率（以下、「摂取済みの３大栄養素のエネルギー構成比率」とする。）と、そのユーザが摂取すべき３大栄養素の各摂取エネルギー量として予め定めてある構成比率（以下、「摂取すべき３大栄養素のエネルギー構成比率」とする。）とを比較可能な状態で出力し、二次診断においては、前記３大栄養素エネルギー構成比率算出手段２４で算出したユーザが摂取できるとされる３大栄養素の各摂取エネルギー量の構成比率（以下、「摂取可能３大栄養素のエネルギー構成比率」とする。）を、一次診断と同様に、出力するものである。
【００９４】
具体的には、一次診断においては、図１７に示すように、３大栄養素構成比率比較表示領域Ｒ１８６に、摂取済みの３大栄養素のエネルギー構成比率に「あなたの食事」の表題を付し、また、摂取すべき３大栄養素のエネルギー構成比率に「理想値」の表題を付すとともに、それぞれ棒グラフにして表示するように構成している。二次診断においては、図１８に示すように、一次診断で表示するものに加え、改善後３大栄養素構成比率比較表示領域Ｒ１９３に摂取可能３大栄養素のエネルギー構成比率と摂取すべき３大栄養素のエネルギー構成比率とを、それぞれ棒グラフにして表示するように構成している。
【００９５】
また、この３大栄養素エネルギー構成比率出力手段２５が出力するデータは、所定操作により、食品データ記憶手段１１に記憶されるように構成している。
【００９６】
選定操作検知手段２６は、一次診断においては、前記喫食食品表示手段１３により表示される喫食食品に対して、その喫食食品を選定する選定操作があったかを検知し、二次診断においては、前記改善後食品表示手段で表示される改善後食品に対して、その改善後食品を選定する操作があったかを検知するものである。
【００９７】
改善前食品データ受付手段２７は、二次診断において、前記改善前食品を表示するための改善前食品データを受け付けるものであって、前記入力インタフェース１０４などを利用して構成している。具体的には、図１６に示す選択ボタンＢ１７４１〜Ｂ１７４３のいずれかが画面タッチ操作等によって選択操作された際に、その操作を受けた選択ボタンに関連付けてられているデータを、食品データ記憶手段１１から読み出して受け付けるようにしている。なお、この改善前食品データ受付手段２７が、受け付ける改善前食品データは、ＵＳＢフラッシュメモリやＣＤ−ＲＯＭ等の携帯可能な記録媒体に記憶されているものから受け付けるようにしても良いし、センター装置Ｐ２から送信されるものを受け付けるようにしても良い。
【００９８】
改善前食品表示手段２８は、二次診断において、前記改善前食品データ受付手段２７で受け付けた改善前食品データに基づき、改善前食品を表示するものであって、前記表示装置１０５などを利用して構成している。具体的には、図１６に示す表示ボタンＢ１７２１〜Ｂ１７２３のいずれかが画面タッチ操作等によって選択操作された際に、その操作を受けた選択ボタンに関連付けてられているデータを、食品データ記憶手段１１から読み出して表示するようにしている。このときの表示態様としては、例えば、改善前食品が朝食に係るものであれば、図１１に示す朝食入力画面の喫食食品表示領域Ｒ１１３内に、改善前食品の画像を表示したものが挙げられる。
【００９９】
改善後食品確定命令受付手段２９は、前記改善前食品表示手段２８により表示される改善前食品に対して、その改善前食品を変更又は新たな食品を追加する操作を受けた後に、例えば、図１１の喫食食品表示領域Ｒ１１３内に表示されている食品を、改善後食品として確定する確定命令を受け付けるものであって、前記入力インタフェース１０４などを利用して構成している。ここで、確定命令の具体例としては、図１１の「次へ」ボタンＢ１１２の画面タッチ操作等が挙げられる。
【０１００】
改善後度合いデータ出力判断手段３０は、二次診断において、前記改善後食品確定命令受付手段２９で確定された改善後食品と関連付けて前記食品データ記憶手段１１に記憶されている度合いデータを、その度合いによって出力するかを判断するものである。この改善後度合いデータ出力判断手段３０は、前記度合いデータ出力判断手段１４と同様に、度合いデータに杯数を示す値（例えば、最低値０．３３以上）が記憶されていれば、その度合いデータの値を出力するようにしている。
【０１０１】
改善結果出力手段３１は、二次診断において、前記改善後度合いデータ出力判断で出力すると判断された度合いデータを、改善結果として各食事単位ごとに出力するものである。この改善結果出力手段３１が、度合いデータを出力する出力態様は、赤く塗り潰した丸で画面表示するなど、食生活傾向出力手段１５と同様であるので説明を省略する。
【０１０２】
また、この改善結果出力手段３１が出力するデータは、所定操作により、食品データ記憶手段１１に記憶されるように構成している。
【０１０３】
データ送受信手段３２は、食品データ記憶手段１１に記憶する各種データを、センター装置Ｐ２に送信、又はセンター装置Ｐ２から受信するものであって、前記通信インタフェース１０６等を利用して構成している。なお、本実施形態では、アドバイスデータ記憶手段１８に記憶するアドバイスデータの送受信もセンター装置Ｐ２と行えるようにしている。これにより、ユーザに適宜応じた具体的なアドバイスを行えるようにしている。
【０１０４】
次に、本実施形態の食生活診断装置Ｐ１の動作についてフロー図などを用いて説明する。
【０１０５】
まず、図２４、図２５に示すように、食生活診断装置Ｐ１に電源が投入されると、自動的にアプリケーションが実行され、起動画面（図４参照。）が表示される（ステップＳ１０１）。なお、アプリケーションの起動は、これに限らず、例えば、デスクトップ上に設けたアイコンへの画面タッチ操作等により行われるようにする等、実施態様に応じて適宜設定可能である。
【０１０６】
そして、ボタンＢ４０１〜Ｂ４０５のいずれかが画面タッチ操作等されると、その操作により指定される画面が表示される。例えば、一次診断ボタンＢ４０１が画面タッチ操作等されると（ステップＳ１０２）、図５に示す一次診断画面が表示される（ステップＳ１０３）。さらに一次診断画面内の「スタート」ボタンＢ５０１が画面タッチ操作等されると（ステップＳ１０４）、受診情報入力画面（図６）が表示されるので（ステップＳ１０５）、画面にしたがって、受診情報を適宜入力し「次へ」ボタンが画面タッチ操作等されると（ステップＳ１０６）、個人情報入力画面（図７）が表示される（ステップＳ１０７）。同様にして、この個人情報入力画面や、生活強度入力画面（図８）、妊娠・授乳入力画面（図９）、医師注意・サプリメント画面（図１０）などでも適宜入力をし「次へ」ボタンが画面タッチ操作等されると、図１１に示す朝食画面が表示される（ステップＳ１０８）。
【０１０７】
この朝食画面が表示されている状態において、表示用グループ選択ボタンＢ１１１のうち、例えば、「めし」ボタンＢ１１０１が画面タッチ操作等されると（ステップＳ１０９）、選択候補表示手段１２により、牛丼やうなぎ丼などの画像が、食品データ記憶手段１１に記憶している食品画像表示用データに基づいて選択候補食品表示領域Ｒ１１１に選択食品として表示される（ステップＳ１１０）。
【０１０８】
そして、選択候補食品表示領域Ｒ１１１に表示されている選択食品に対して、画面タッチ操作等があると（ステップＳ１１１）、その画面タッチ操作等された食品の画像を、喫食食品表示手段１３が、喫食食品の画像として喫食食品表示領域Ｒ１１３に表示する（ステップＳ１１２）。
【０１０９】
ここで、杯数入力欄Ｒ１１２に適宜値を隣接する増減ボタンを利用して入力することにより、これを杯数として設定するようにしているが、杯数の設定は、適宜タイミングで行うことを妨げない。
【０１１０】
また、喫食食品表示領域Ｒ１１３に表示されている喫食食品の画像に対する画面タッチ操作等があれば、これを選定操作検知手段２６が検知し、選択候補表示手段１２が画面タッチ操作等による選定操作を受けた喫食食品と同じ表示用のグループに属する食品の画像を、前記食品データ記憶手段１１に記憶している食品画像表示用データに基づいて表示する。なお、選択候補表示手段１２が、画面タッチ操作等による選定操作を受けた喫食食品と同じ表示用のグループに属する食品の画像を表示するようにしているが、表示用のグループに縛られずに、例えば、食品コード順に食品の画像を表示するといった態様も考えられる。
【０１１１】
このようにして、喫食食品表示領域Ｒ１１３に喫食食品の画像が表示された状態で、「次へ」ボタンＢ１１２が画面タッチ操作等されると（ステップＳ１１３）、昼食入力画面（図示せず）が表示される（ステップＳ１１４）。
【０１１２】
以下同様にして、昼食入力画面、夕食入力画面、および間食・夜食入力画面で、同様の入力操作を行う。
【０１１３】
しかして、各食事についての入力操作を終えると、図１２に示す入力確認画面が表示され（ステップＳ１１５）、「次へ」ボタンＢ１２１が画面タッチ操作等されると（ステップＳ１１６）、図１３に示す診断結果画面（日毎用）が表示される（ステップＳ１１７）。
【０１１４】
さらに、「次へ」ボタンＢ１３１が画面タッチ操作等されると（ステップＳ１１８）、図１４に示す印刷・ファイル保存画面（一次診断用）が表示される（ステップＳ１１９）。
【０１１５】
そして、「次へ」ボタンＢ１５３が画面タッチ操作等されると（ステップＳ１２０）、図１５に示す診断終了画面が表示され（ステップＳ１２１）、「診断を終了する」ボタンＢ１６１が画面タッチ操作等されれば（ステップＳ１２２）、一次診断を終了する。
【０１１６】
このように、本実施形態に係る食生活診断装置Ｐ１は、選択候補表示手段１２が、食品の画像を、ユーザに飲食した食品と同等のものを選択させる選択候補として、具体的に表示するため、例えば、食品の画像を指しながら「これを食べましたか？」とか「この位の量を食べましたか？」といった食事についての問診を、ユーザと共通の理解を得ながら円滑且つ正確に行える上、度合いデータ出力判断や食生活傾向出力手段１５などによって、ユーザが主食を取ったか主菜を取ったか副菜を取ったかを、赤く塗り潰した丸といった記号でしかも表形式にしているため、主食などを取ったか否かを一瞥して、各食事単位ごとに知ることができる。
【０１１７】
すなわち、ユーザとのコミュニケーションを円滑に行ないながら、しかも入力時の手間（特に栄養士の負荷）を要せずに正確な入力を行え、さらに、食生活の傾向を、食事ごとにおける主食、主菜、副菜の摂取の有無を記号（赤丸）といった非常に具体的な形で且つ正確な結果として知り得るといった高機能な食生活診断装置Ｐ１を提供することができる。
【０１１８】
また、前記食品が、複数の食品群に分類される一又は複数の食材から成るものであり、前記食品データ記憶手段１１が、前記食材を識別可能な食材データと、各食材に含まれる栄養素の量又は有無を示す栄養素データとを、前記食品コードとさらに関連付けて記憶するものであって、前記喫食食品表示手段１３で表示される喫食食品を構成する各食材について、前記食品データ記憶手段１１に、栄養素の量又は栄養素が有るとする栄養素データが記憶されているかを複数の食品群について判断する栄養素データ有無判断手段１６と、前記栄養素データ有無判断手段１６が、前記食品データ記憶手段１１に、栄養素の量又は栄養素が有るとする栄養素データが記憶されていると判断した際に、その栄養素データに関連付けて前記食品データ記憶手段１１に記憶している食材データの属する食品群を、ユーザが摂取した食品群として出力する摂取食品群出力手段１７とを具備するようにしているため、ユーザが摂取したとされる栄養について、食品群ごとに摂取したか否かを具体的に知ることができる。
【０１１９】
また、食事に対するアドバイスを表示するための複数のアドバイスデータと、主食、主菜、副菜を取ったかを示す摂取有無データとを関連付けて記憶するアドバイスデータ記憶手段１８と、前記度合いデータ出力判断で出力すると判断された度合いデータと対応するアドバイスデータを、前記摂取有無データに基づいて前記アドバイスデータ記憶手段１８から抽出するアドバイスデータ抽出手段１９と、前記アドバイスデータ抽出手段１９で抽出したアドバイスデータを出力するアドバイスデータ出力手段２０とを具備するようにしているため、ユーザの食生活の傾向を、主食、主菜、副菜と関連させた非常に具体的な食事に係るアドバイスとして示すことができ、ユーザにとって効果的である。
【０１２０】
また、前記食品が、複数の食品群に分類される一又は複数の食材から成るものであり、前記食品データ記憶手段１１が、前記食材を識別可能な食材データと、各食材に含まれる栄養素のエネルギー量を示すエネルギー量データとを、前記食品コードとさらに関連付けて記憶するものであって、前記喫食食品表示手段１３で表示される喫食食品について前記食品データ記憶手段１１に記憶しているエネルギー量データに基づいて、ユーザが摂取したとされる栄養のエネルギー量を算出する摂取エネルギー量算出手段２１と、前記摂取エネルギー量算出手段２１で算出したユーザが摂取したとされる栄養のエネルギー量と、提示されたユーザが摂取すべき栄養のエネルギー量との比率を充足率として算出する充足率算出手段２２と、前記充足率算出手段２２で算出した充足率を、前記食品群ごとに出力する充足率出力手段２３とを具備するようにしているため、個々の栄養素に係るエネルギー量の過不足を、摂取すべき栄養のエネルギー量と比較して、換言すれば、理想値と比較して容易に知ることができる。
【０１２１】
また、前記食品が、複数の食品群に分類される一又は複数の食材から成るものであり、前記食品データ記憶手段１１が、前記食材を識別可能な食材データと、各食材に含まれる栄養素の量を示す栄養素量データとを、前記食品コードとさらに関連付けて記憶するものであって、前記喫食食品表示手段１３で表示される喫食食品と関連付けて前記食品データ記憶手段１１に記憶されている栄養素量データに基づいて、ユーザが摂取したとされる栄養素のうち、１日の総エネルギー量に対する蛋白質、脂質、炭水化物の各摂取エネルギー量の構成比率を算出する３大栄養素エネルギー構成比率算出手段２４と、前記３大栄養素エネルギー構成比率算出手段２４で算出したユーザが摂取したとされる３大栄養素の各摂取エネルギー量の構成比率と、そのユーザが摂取すべき３大栄養素の各摂取エネルギー量として予め定めてある構成比率とを比較可能な状態で出力する３大栄養素エネルギー構成比率出力手段２５とを具備するようにしているため、人間にとって特に重要な３大栄養素の過不足を、摂取すべき３大栄養素と比較して、換言すれば、理想値と比較して容易に知ることができる。このとき、３大栄養素の合計摂取エネルギー量を１００とした際の３大栄養素の各構成比率を出力するようにしているので、その過不足を、非常に容易に知ることができる。
【０１２２】
また、複数の食品について、その画像を表示用のグループごとに表示するようにしたものであって、前記食品データ記憶手段１１を、食品コードと前記表示用のグループとをさらに連携して記憶するように構成し、前記選択候補表示手段１２を、前記選択候補を表示する際に、前記食品データ記憶手段１１に記憶している表示用のグループを参照し、参照した表示用のグループごとに表示するように構成しているため、食品数が多い場合でも、食品の画像を表示用のグループごとに表示することができるので、当該食生活診断装置Ｐ１を非常に使い易いものとすることができる。
【０１２３】
また、前記喫食食品表示手段１３により表示される喫食食品に対して、その喫食食品を選定する選定操作があったかを検知する選定操作検知手段２６を具備し、前記選定操作検知手段２６が、選定操作があったと検知した際に、前記選択候補表示手段１２が、選定操作を受けた喫食食品と同じ表示用のグループに属する食品の画像を、前記食品データ記憶手段１１に記憶している食品画像表示用データに基づいて表示するように構成しているため、多数ある食品の中から然るべき食品を選択する場合など、食品の選択時における操作性の向上が図れる。
【０１２４】
加えて、喫食食品表示手段１３が、喫食食品を、前記食品データ記憶手段１１に記憶している食品画像表示用データに基づいて画像表示するようにしているため、ユーザとのコミュニケーションを、より円滑に行うことができる。
【０１２５】
さらに、前記度合いデータが、器に盛った飯や液体などを数えるのに用いる杯数に対応させているため、度合いデータと実際の食事での食品の数え方とがマッチし、実際の現場に導入しやすく、また、運用もスムーズに行うことができる。
【０１２６】
また、前記選択候補表示手段１２によって表示される食品の画像のなかから、ユーザが飲食した食品と同等の食品を選択する際に用いる入力インタフェース１０４を、タッチパネル等で構成しているため、例えば、パソコンの操作に全く不慣れなユーザであっても容易に操作できるので、当該食生活診断装置Ｐ１を、幅広いユーザが取り扱い可能な汎用的なものとして提供することができる。
【０１２７】
なお、本発明は、以上に詳述した実施形態に限られるものではない。
【０１２８】
例えば、本実施形態では、食生活診断装置Ｐ１とセンター装置Ｐ２とをインターネットを介して双方向通信可能に接続するようにしているが、例えば、広域イーサネット（登録商標）を介して双方向通信可能に接続するように構成するなど、食生活診断装置Ｐ１とセンター装置Ｐ２とを接続する通信回線網は、適宜設定できる。また、センター装置Ｐ２と端末装置Ｐ３との間の通信回線網、さらには、食生活診断装置Ｐ１と端末装置Ｐ３との間の通信回線網についても同様である。
【０１２９】
また、食生活診断装置Ｐ１とセンター装置Ｐ２とのデータのやり取りを、電子メールを利用して行うようにしているが、データのやり取りの方法はこれに限らず、例えば、ＦＴＰ等によるものであってもよい。
【０１３０】
加えて、食生活診断装置Ｐ１とセンター装置Ｐ２とのデータのやり取りにおいて、データを暗号化したり、ユーザ認証を行うようにする等、当該食生活診断装置Ｐ１等にセキュリティ機能を持たせても良い。
【０１３１】
また、入力インタフェース１０４を、タッチパネルとしているが、この入力インタフェースをタッチパネルに替えてデジタイザや音声認識装置やマウスやキーボードとしても良く、さらに、例えば、タッチパネルとマウス等とを併用するようにしても良い。
【０１３２】
また、栄養素データ有無判断手段１６が、食品データ記憶手段１１に、栄養素の量又は栄養素が有るとする栄養素データが記憶されているかを判断するように構成しているが、栄養素の量又は栄養素が有るとする栄養素データに替えて記憶するようにした各栄養素に該当する度合いを示す栄養素該当度合いデータに基づいて判断するように構成してもよい。なお、この栄養素該当度合いデータの表示態様などは、前記度合いデータと同様に設定することができる。
【０１３３】
また、度合いデータを「食品の主食、主菜、副菜に該当する度合いを示すもの」としているが、例えば、「食品の各食品群に該当する度合いを示すもの」とすることもできる。
【０１３４】
また、摂取有無データを「主食、主菜、副菜を取ったかを示すもの」としているが、例えば、「各食品群を取ったかを示すもの」とすることもできる。
【０１３５】
その他、各部の具体的構成についても上記実施形態に限られるものではなく、本発明の趣旨を逸脱しない範囲で種々変形が可能である。
【図面の簡単な説明】
【０１３６】
【図１】本発明の一実施形態における食生活診断装置を利用した食生活診断システムの全体構成を示す図。
【図２】同実施形態における食生活診断装置の機器構成図。
【図３】同実施形態における食生活診断装置の機能構成図。
【図４】同実施形態における食生活診断装置に表示される起動画面の画面例を示す図。
【図５】同実施形態における食生活診断装置に表示される一次診断画面の画面例を示す図。
【図６】同実施形態における食生活診断装置に表示される受診情報入力画面の画面例を示す図。
【図７】同実施形態における食生活診断装置に表示される個人情報入力画面の画面例を示す図。
【図８】同実施形態における食生活診断装置に表示される生活強度入力画面の画面例を示す図。
【図９】同実施形態における食生活診断装置に表示される妊娠・授乳入力画面の画面例を示す図。
【図１０】同実施形態における食生活診断装置に表示される医師注意・サプリメント画面の画面例を示す図。
【図１１】同実施形態における食生活診断装置に表示される朝食入力画面の画面例を示す図。
【図１２】同実施形態における食生活診断装置に表示される入力確認画面の画面例を示す図。
【図１３】同実施形態における食生活診断装置に表示される一次診断結果画面（日毎用）の画面例を示す図。
【図１４】同実施形態における食生活診断装置に表示される印刷・ファイル保存画面（一次診断用）の画面例を示す図。
【図１５】同実施形態における食生活診断装置に表示される診断終了画面の画面例を示す図。
【図１６】同実施形態における食生活診断装置に表示される印刷・ファイル保存画面（一次及び二次診断用）の画面例を示す図。
【図１７】同実施形態における食生活診断装置に表示される二次診断結果画面（日毎用）の画面例を示す図。
【図１８】同実施形態における食生活診断装置に表示される二次診断結果画面（比較用）の画面例を示す図。
【図１９】同実施形態における食生活診断装置に表示されるデータ取込画面の画面例を示す図。
【図２０】同実施形態における食生活診断装置に表示されるデータ出力画面の画面例を示す図。
【図２１】同実施形態における食生活診断装置に表示されるデータ集計画面の画面例を示す図。
【図２２】同実施形態における食品データ記憶手段に記憶するデータの記憶態様を示す図。
【図２３】同実施形態における食生活診断装置に表示される各種画面の繋がりをフローにて示す図。
【図２４】同実施形態における食生活診断装置における動作を示すフロー図。
【図２５】同実施形態における食生活診断装置における動作を示すフロー図。
【符号の説明】
【０１３７】
１１・・・・・食品データ記憶手段
１２・・・・・選択候補表示手段
１３・・・・・喫食食品表示手段
１４・・・・・度合いデータ出力判断手段
１５・・・・・食生活傾向出力手段
１６・・・・・栄養素データ有無判断手段
１７・・・・・摂取食品群出力手段
１８・・・・・アドバイスデータ記憶手段
１９・・・・・アドバイスデータ抽出手段
２０・・・・・アドバイスデータ出力手段
２１・・・・・摂取エネルギー量算出手段
２２・・・・・充足率算出手段
２３・・・・・充足率出力手段
２４・・・・・３大栄養素エネルギー構成比率算出手段
２５・・・・・３大栄養素エネルギー構成比率出力手段
２６・・・・・選定操作検知手段
１０４・・・・入力インタフェース
【図１】
2006024080.tif 000003
【図２】
2006024080.tif 000004
【図３】
2006024080.tif 000005
【図４】
2006024080.tif 000006
【図５】
2006024080.tif 000007
【図６】
2006024080.tif 000008
【図７】
2006024080.tif 000009
【図８】
2006024080.tif 000010
【図９】
2006024080.tif 000011
【図１０】
2006024080.tif 000012
【図１１】
2006024080.tif 000013
【図１２】
2006024080.tif 000014
【図１３】
2006024080.tif 000015
【図１４】
2006024080.tif 000016
【図１５】
2006024080.tif 000017
【図１６】
2006024080.tif 000018
【図１７】
2006024080.tif 000019
【図１８】
2006024080.tif 000020
【図１９】
2006024080.tif 000021
【図２０】
2006024080.tif 000022
【図２１】
2006024080.tif 000023
【図２２】
2006024080.tif 000024
【図２３】
2006024080.tif 000025
【図２４】
2006024080.tif 000026
【図２５】
2006024080.tif 000027